(57)【要約】【課題】子供や老人が携帯する携帯電話機の電源が不慮及び故意の電源キー操作により携帯電話機の電源がオフされることを防止する。【解決手段】ＣＰＵ１１は、キー操作部１７で操作者により電源キーの電源オフ操作がなされたことを検出すると、表示部１８により操作者に対してパスワードの入力を要求する。ＣＰＵ１１は入力されたパスワードと不揮発性メモリ１６に予め登録されているパスワードとを比較し、一致した場合は携帯電話機の電源オフ処理を行う。パスワードが一致しなかった場合は、電源オフを禁止すると共に、ＣＰＵ１１は操作者にパスワードの入力を要求し、誤ったパスワードの入力が所定回数行われたとき、不揮発性メモリ１６に登録された携帯電話機の電話番号へ自動的に発呼し、メモリ部１３の音声データ１４を使用して不正な電源オフ操作が行われた旨を保護者の携帯電話機に通知し、保護者の注意を促す。【選択図】        図２
2004356992.tif 000002
【特許請求の範囲】
【請求項１】
電源オフ操作がなされたことを検出する電源操作検出手段と、
前記検出に応じて移動通信端末の所有者が本人であることを確認する本人確認手段と、
前記所有者が本人であることが確認できなかったとき電源の遮断を禁止する制御手段とを設けたことを特徴とする移動通信端末。
【請求項２】
前記確認手段により前記所有者が本人であることが確認できなかったときその旨を所定の端末へ通知する通知手段を設けたことを特徴とする請求項１記載の移動通信端末。
【請求項３】
移動通信端末の位置を検出する位置検出手段を設け、前記通知手段は、前記所有者が本人であることが確認できなかったとき前記位置検出手段が検出した位置情報を前記所定の端末に通知することを特徴とする請求項２記載の移動通信端末。
【請求項４】
内蔵電池の残量を検出する電池残量検出手段を設け、前記通知手段は、前記電池残量検出手段が所定以下の電池残量を検出したときその旨を前記所定の端末に通知することを特徴とする請求項１、２又は３記載の移動通信端末。
【請求項５】
前記通知手段は、所定の電話機との通信により前記通知を行うことを特徴とする請求項２、３又は４記載の移動通信端末。
【請求項６】
前記通知手段は、所定の情報端末に電子メールにより前記通知を行うことを特徴とする請求項２，３又は４記載の移動通信端末。
【請求項７】
前記本人確認手段は、入力されたパスワードと登録されたパスワードとを比較することにより前記確認を行うことを特徴とする請求項１〜６のいずれか１項記載の移動通信端末。
【請求項８】
前記本人確認手段は、入力された指紋及び／又は声紋と登録された指紋及び／又は声紋とを比較することにより前記確認を行うことを特徴とする請求項１〜６のいずれか１項記載の移動通信端末。
【請求項９】
電池収納部の蓋を取り付けるビスに特殊ビスを用いたことを特徴とする移動通信端末。
【発明の詳細な説明】
【０００１】
【発明の属する技術分野】
本発明は、子供や老人など保護が必要な人が携帯するのに好適な携帯電話機等の移動通信端末に関するものである。
【０００２】
【従来の技術】
従来より、子供や老人が外出するときに携帯電話機を持たせ、保護者が必要な時に連絡を取ってその居場所や状況を確認することが多くなっている。このような場合、保護者側が常に連絡を取れる状態にするためには、子供や老人が持つ携帯電話機の電源が常に入っていることが必要であり、電源が不慮及び故意の電源キー操作によりオフされることは望ましくない。
【０００３】
また、従来より携帯電話機のパスワード入力により機能操作の制限を行うようにした技術がある。
【０００４】
【特許文献１】
特開２００３−３７８７２号公報
【０００５】
【発明が解決しようとする課題】
通常、携帯電話機にはキーロック機能があり、キーロックの解除方法は特定のキーの長押しが一般的であるが、携帯電話機を鞄の中に他の持ち物と一緒に入れて持ち歩いたり、シャツやズボンのポケットに入れて持ち歩いたりしていると、キーロックが不測に解除されてしまう場合がしばしばあり、その場合携帯電話機の電源オフに至る可能性がある。折り畳み式の携帯電話機の場合には、本体を開かなければ電源キー操作はできないため、持ち歩くうちに不慮のキー操作により電源オフとなる可能性はかなり低いが、携帯する本人や第三者により故意に電源オフ操作が行われた場合には対処できない。
【０００６】
また、前記のパスワードを用いる従来の技術は移動通信端末の発信やデータ入力等の操作機能を制限するだけで、電源オフ操作はいつでも行うことができる。
【０００７】
本発明は上記の問題を解決するためのもので、移動通信端末の電源オフが不慮及び故意に行われることを防止し、保護者が移動通信端末を持つ子供や老人の状況確認をより確実に行えるようにすることを目的としている。
【０００８】
【課題を解決するための手段】
上記の目的を達成するために本発明による移動通信端末は、電源オフ操作がなされたことを検出する電源操作検出手段と、前記検出に応じて移動通信端末の所有者が本人であることを確認する本人確認手段と、前記所有者が本人であることが確認できなかったとき電源の遮断を禁止する制御手段とを設けたことを特徴とするものである。
【０００９】
また、本発明による移動通信端末は、電池収納部の蓋を取り付けるビスに特定の先端形状の工具によってのみ操作が可能な特殊ビスを用いたことを特徴とするものである。
【００１０】
従って、本発明によれば、電源操作検出手段が電源オフ操作がなされたことを検出すると、この検出に応じて本人確認手段は移動通信端末の所有者が本人であることを確認し、本人であることが確認できなかったときは、制御手段が電源の遮断を禁止するので、子供や老人が携帯する移動通信端末の電源オフ操作が不慮及び故意になされても電源が切られることがなく、保護者が子供や老人の状況を確認できなくなることを防止することができる。
【００１１】
また、本発明によれば、電池蓋を取り外すには特殊な工具を必要とするので、第三者等が電池を故意に抜き取って移動通信端末の電源がオフされることを防止することができる。
【００１２】
【発明の実施の形態】
以下、本発明の実施の形態を図面と共に説明する。
図１は本発明の第１の実施の形態による移動通信端末としての携帯電話機を用いた通信システムを示す構成図である。
図１において、１は子供や老人が携帯する携帯電話機、２は保護者が携帯する携帯電話機、３は携帯電話機１と通信する基地局、４は携帯電話機２と通信する基地局、５は交換局、６は交換局５と公衆回線を介して接続されるルータ、７はルータ６とインターネットを介して接続されるサーバである。
【００１３】
図２は子供や老人が携帯する携帯電話機１の構成を示すブロック図、図３は携帯電話機１の正面図である。
図２において、１１は無線通信の制御やキー操作の検出、入力情報の処理、ＬＣＤ表示等の制御を行うＣＰＵ、１２は基地局と通信する通信部、１３は必要なプログラムやデータを格納するメモリ部で、不正な電源オフ操作が行われたことを通知する音声データ１４と、充電が必要なことを通知する音声データ１５と、パスワードと保護者が携帯する携帯電話機２の電話番号とが登録される不揮発性メモリ１６とを含む。
【００１４】
１７は電源オン／オフ操作や必要な情報の入力操作を行うキー操作部で、図３のように電源キー１７ａを有する。１８はキー操作内容や操作者への指示などを表示するＬＣＤ等からなる表示部である。１９はスピーカ部、２０はＧＰＳ  による位置検出部、２１は電池残量検出部である。
尚、携帯電話機１はこのほか通常の携帯電話機の有する機能・構成を有しているものとする。また、携帯電話機２の構成は携帯電話機１と同様であってよい。
【００１５】
次に、上記構成による動作について説明する。
携帯電話機１において、予めパスワードをキー操作部１７の特定のキー操作により設定しておく。設定されたパスワードのデータは不揮発性メモリ１６に格納されて登録される。ＣＰＵ１１は、キー操作部１７で操作者（ここでは例えば子供、老人又は第三者）による電源キー１７ａの電源オフ操作がなされたことを検出すると、図３にも示すように表示部１８のＬＣＤ上の表示により操作者に対してパスワードの入力を要求する。ＣＰＵ１１は入力されたパスワードと不揮発性メモリ１６に格納されているパスワードとを比較し、一致した場合は携帯電話機１の電源オフ処理を行う。
【００１６】
入力されたパスワードと登録されているパスワードとが一致しなかった場合は、ＣＰＵ１１は電源オフ処理を禁止すると共に、操作者に対して繰り返しパスワードの入力を要求し、誤ったパスワードの入力が特定の回数行われたとき、不揮発性メモリ１６に登録された携帯電話機２の電話番号へ自動的に発呼する。そしてメモリ部１３の音声データ１４を使用して、不正な電源オフ操作が行われた旨を携帯電話機２を所有する保護者に通知する。これにより保護者に注意を喚起することができる。
【００１７】
また携帯電話機１の電池残量検出部２１により検出される電池残量が使用により徐々に低下し、所定のレベル（例えば通話可能時間が１０分未満となるレベル）に達した場合には、携帯電話機１を携帯する人に表示部１８による表示やスピーカ部１９による音声によりそれを警告すると共に、登録された携帯電話機２の電話番号へ自動的に発呼する。そしてメモリ部１３の音声データ１５を使用して充電が必要なことを通知する。この通知を受けた保護者は携帯電話機１に電話し、子供や老人が充電が可能な場所にいれば充電を指示する。充電できない場所にいる場合でも、通話ができなくなる前に居場所や情況の確認を行うことができる。
【００１８】
また、携帯電話機１が位置検出部２１のＧＰＳ等による位置検出機能、及び移動通信網上のサーバ７へのアクセス機能を持つ場合には、誤ったパスワードの入力が特定の回数行われたときに、携帯電話機１はその位置情報と時刻情報を通信部１２からサーバ７へアップロードする。サーバ７は受信した位置情報を地図情報や住所に変換して、時刻情報及び不正な電源オフ操作が行われたことを伝えるメッセージと共に、予め登録された保護者の携帯電話機１やパソコン等の情報端末のアドレスへ電子メールを送信する。
【００１９】
また、携帯電話機１の電池残量検出部２０により電池残量が低下し所定のレベルに達したことが検出された場合にも、同様に位置情報と時刻情報をサーバ７へアップロードする。サーバ７は位置情報を地図情報や住所に変換して、時刻情報及び充電が必要なことを伝えるメッセージとともに予め登録された保護者の上記アドレスへ電子メールを送信する。
【００２０】
尚、本実施の形態においては、携帯電話機１の本人確認のためにパスワードを用いているが、音声認識や指紋認識などによる確認機能に置きかえることができる。
また、不正な電源オフ操作が行われたことを示す情報、そのときの位置情報、時刻情報及び充電が必要なことを示す等の情報は自動発呼又は電子メールにより通知することができる。
【００２１】
本実施の形態によれば次の効果が得られる。
・電源キー１７ａの不慮及び故意の操作により携帯電話機１の電源がオフされ、保護者が子供や老人の状況を把握できなくなることを防止することができる。
・不正な電源オフ操作が行われた場合は、自動発呼や電子メールの送信を行うことにより保護者に対し注意を喚起することができる。
【００２２】
・携帯電話機１がＧＰＳ等の位置検出機能、及び移動通信網上のサーバ７へのアクセス機能を持つ場合には、保護者は不正な電源オフ操作が行われた場所と時刻を電子メールにより即座に知ることができる。
・電池残量が低下した場合にも、通話ができなくなる前に保護者が充電の指示や状況確認をすることができる。
・携帯電話がＧＰＳ等の位置検出機能、及び移動通信網上のサーバへのアクセス機能を持つ場合には、電池残量が低下した場合の電子メール送信により、携帯電話機２に電話をかけなくても居場所を知ることができる。
【００２３】
図４は本発明の第２の実施の形態による携帯電話機１の後面図である。
本実施の形態は、図示のように携帯電話機１の筐体の電池収納部を覆う電池パック蓋３０を取り付けるために特殊ビス３１を用いたものである。ここで、特殊ビスとは、このビスを廻すのに専用の特殊な工具を必要とするビスであり、本実施の形態では図示のように先端形状がＹ形のビスを使用している。その他先端形状が＋形などの特殊のビスを使用してもよい。
【００２４】
上記構成によれば、携帯電話機１の筐体を開けるには特殊ビス３１の頭（溝）と一致する特殊な形状を持ったＹ形ドライバーなどの専用の特殊な工具（＋、−四角形、六角形のような、汎用の工具で回転させることができる以外の先端形状の工具）が必要となるので、携帯電話機１の所有者や第三者によってみだりに電池パック蓋３０が開けられて電池がはずされ、電源が切られてしまうことを防止することができる。
【００２５】
【発明の効果】
以上説明したように本発明によれば、不慮及び故意の電源キー操作により携帯電話機の電源がオフされ、保護者等が移動通信端末を携帯する子供や老人の状況を把握できなくなることを防止することができる。
【００２６】
また、不正な電源オフ操作が行われた場合に、自動発呼や電子メールにより保護者の電話機や情報端末等に通知することで保護者等に注意を喚起することができる。
また、電池残量が低下したことを通知できなくなる前に通知することで、保護者等から移動通信端末に対して充電の指示や状況確認をすることができる。
さらに、不正な電源オフ操作が行われたときの位置情報を保護者等に通知することができる。
【００２７】
また、本発明によれば、移動通信端末の電池が故意に抜き取られて電源オフになり、保護者等が移動通信端末を携帯する子供や老人の状況を把握できなくなることを防止することができる。
【図面の簡単な説明】
【図１】本発明の第１の実施の形態による移動通信端末を用いた通信システムを示す構成図である。
【図２】本発明の第１の実施の形態による移動通信端末を示すブロック図である。
【図３】本発明の第１の実施の形態による移動通信端末を示す正面図である。
【図４】本発明の第２の実施の形態による移動通信端末を示す後面図である。
【符号の説明】
１：子供や老人が携帯する携帯電話機、２：保護者が携帯する携帯電話機、３：携帯電話機１と通信する基地局、４：携帯電話機２と通信する基地局、７：サーバー、１１：  ＣＰＵ、１２：通信部、１３：メモリ部、１４，１５：音声データ、１６：不揮発性メモリ、１７：キー操作部、１７ａ：電源キー、１８：表示部、２０：位置検出部、２１：電池残量検出部
【図１】
2004356992.tif 000003
【図２】
2004356992.tif 000004
【図３】
2004356992.tif 000005
【図４】
2004356992.tif 000006